(57)【特許請求の範囲】
【請求項１】
３９０〜４５０ｎｍの波長λ１の第１光束が通過し、且つ６３５〜６７０ｎｍの波長λ２の第２光束と７４０〜８１０ｎｍの波長λ３の第３光束の少なくとも１種類の光束が通過する光路内に配置される光ピックアップ装置用の光学部品であって、
前記光学部品は、微細構造を形成した第１の光学面と、微細構造を形成しない第２の光学面とを有し、
前記微細構造は、回折によって前記いずれかの通過光束に対して集光あるいは発散させる作用を有する回折構造であり、
前記光学部品は、前記回折構造により回折された前記第１の光束及び、前記第２、第３の光束の少なくとも１種類の光束を、それぞれ対応する光情報記録媒体の情報記録面上に集光可能であり、
前記第１の光学面における反射防止膜の膜層数を、前記第２の光学面における反射防止膜の膜総数より少なくし、前記第１の光学面における膜総数を、単層〜９層のいずれかとすることを特徴とする光学部品。
【請求項２】
前記第２の光学面における反射防止膜を７層とすることを特徴とする請求項１に記載の光学部品。
【請求項３】
前記第２の光学面における反射防止膜を８乃至１０層のいずれかとすることを特徴とする請求項１に記載の光学部品。
【請求項４】
前記第１の光学面における反射防止膜を単層とすることを特徴とする請求項１乃至３のいずれかに記載の光学部品。
【請求項５】
前記第１の光学面における反射防止膜を２層とすることを特徴とする請求項１乃至３に記載の光学部品。
【請求項６】
前記第１の光学面における反射防止膜を３層とすることを特徴とする請求項１乃至３に記載の光学部品。
【請求項７】
前記第１の光学面における反射防止膜を４乃至９層のいずれかとすることを特徴とする請求項１乃至３のいずれかに記載の光学部品。
【請求項８】
前記光学部品は、光ピックアップ装置用の対物レンズであることを特徴とする請求項１乃至７のいずれかに記載の光学部品。
【請求項９】
光源と、
前記光源からの光束を光情報記録媒体の情報記録面上に集光させる、請求項１乃至８のいずれかに記載の光学部品を含む集光光学系と、を有することを特徴とする光ピックアップ装置。
【発明の詳細な説明】
【技術分野】
【０００１】
本発明は、光学部品及び光ピックアップ装置に関し、特に光学性能を向上させた光学部品及び光ピックアップ装置に関する。
【背景技術】
【０００２】
近年、短波長赤色半導体レーザの実用化に伴い、従来の光ディスク（光情報記録媒体ともいう）である、ＣＤ（コンパクトディスク）と同程度の大きさで大容量化させた高密度の光ディスクであるＤＶＤ（デジタルバーサタイルディスク）が開発・製品化されている。しかるに、ＣＤもしくはＤＶＤを専用として情報を記録／再生できるというだけでは、光ピックアップ装置の製品としての価値は十分なものとはいえないことから、より付加価値を高めるため、ＣＤ・ＤＶＤのいずれに対しても情報の記録／再生を行うことができる、いわゆる互換型光ピックアップ装置も開発されている。
【０００３】
ところで、ＣＤの仕様（光源波長、開口数、透明基板厚さ等）とＤＶＤの仕様とは異なるため、単一の対物レンズを用いて、双方の光ディスクに対して適切に情報を記録及び／又は再生するためには、何らかの工夫が必要となる。これに対し、対物レンズの光学面に回折構造を設けることで、ＣＤ、ＤＶＤに適した収差特性を得ることが行われている。
【０００４】
一方、ＣＤ、ＤＶＤより一歩進んだ、より高密度な次世代の光ディスクも開発されている。このような次世代の光ディスクを媒体とした光情報記録再生装置（光ピックアップ装置ともいう）の集光光学系では、記録信号の高密度化を図るため、或いは高密度記録信号を再生するため、対物レンズを介して情報記録面上に集光するスポッ卜の径を小さくすることが要求される。そのためには、光源であるレーザの短波長化や対物レンズの高開口数（高ＮＡ）化が必要となる。短波長レーザ光源としてその実用化が期待されているのは、波長４５０ｎｍ以下の青紫色半導体レーザである。
【０００５】
このような波長４５０ｎｍ以下の青紫色半導体レーザを用いて、情報の記録／再生を行える高密度光ディスクシステムの研究・開発が急速に進んでいる。一例として、ＮＡ０．８５、光源波長４０５ｎｍの仕様で情報記録／再生を行う光ディスク（以下、本明細書ではかかる光ディスクを「高密度ＤＶＤ」と呼ぶ）では、ＤＶＤ（ＮＡ０．６、光源波長６５０ｎｍ、記憶容量４、７ＧＢ）と同じ大きさである直径１２ｃｍの光ディスクに対して、１面あたり２０〜３０ＧＢの情報の記録が可能である。かかる高密度ＤＶＤの情報記録面に対して適切な集光スポットを形成できるように、回折構造を設けた対物レンズも開発されている（特許文献１参照）。さらに前記２種類の波長に加えて波長７４０〜８１０ｎｍの光束に対しても集光スポットを形成できる対物レンズも開発されている。
【０００６】
ところで、光源から出射されるレーザ光を効率よく利用するために、光ピックアップ装置の光学部品には、透過率を高める工夫がなされている。例えば対物レンズ等の光学面には、反射防止膜が成膜され、光の干渉を利用して光学面から反射する光の量を抑制するようにしている（特許文献２参照）。
【特許文献１】特開２００２−２３６２５３号公報
【特許文献２】特開２００２−５５２０７号公報
【発明の開示】
【発明が解決しようとする課題】
【０００７】
しかるに、上述したような互換型光ピックアップ装置に用いる対物レンズに反射防止膜を成膜する場合、それに入射する異なる波長の光束それぞれに対して、反射防止を実現しなくてはならない。ところが、反射防止を実現できる波長域を広くとるためには、一般的には反射防止膜の膜厚の増大を容認せざるをえないが、膜厚の増大により、上述した回折構造の形状（特に角部の形状）がダレた形に変化してしまい、それにより所望の回折特性が得られなくなる恐れがある。
【０００８】
又、４５０ｎｍ以下の短波長領域で回折効果を得ようとした場合、回折構造はより微細化するので、反射防止膜が回折構造の形状に与える影響はより増大し、従って高密度ＤＶＤ用光ピックアップ装置に用いる対物レンズにおいては、要求される回折特性を特に得にくいという問題がある。
【０００９】
更に、反射防止膜を成膜した光学部品には、光学面に付着した異物を拭うことによる反射防止膜の剥がれを抑制する、いわゆる拭き性も要求されるが、回折構造に膜厚の厚い反射防止膜を成膜すると拭き性が著しく低下するという問題がある。
【００１０】
本発明は、これらの問題点に鑑みてなされたものであり、耐拭き性を確保しつつ、光透過率を高く維持できるにもかかわらず、例えば微細構造による本来の光学特性を発揮させることができる光学部品及び光ピックアップ装置を提供することを目的とする。
【課題を解決するための手段】
【００１１】
請求項１に記載の光学部品は、３９０〜４５０ｎｍの波長λ１の第１光束が通過し、且つ６３５〜６７０ｎｍの波長λ２の第２光束と７４０〜８１０ｎｍの波長λ３の第３光束の少なくとも１種類の光束が通過する光路内に配置される光ピックアップ装置用の光学部品であって、前記光学部品は、微細構造を形成した第１の光学面と、微細構造を形成しない第２の光学面とを有し、前記微細構造は、回折によって前記いずれかの通過光束に対して集光あるいは発散させる作用を有する回折構造であり、前記光学部品は、前記回折構造により回折された前記第１の光束及び、前記第２、第３の光束の少なくとも１種類の光束を、それぞれ対応する光情報記録媒体の情報記録面上に集光可能であり、前記第１の光学面における反射防止膜の膜層数を、前記第２の光学面における反射防止膜の膜総数より少なくし、前記第１の光学面における膜総数を、単層〜９層のいずれかとすることを特徴とするので、例えば回折構造などの微細構造を形成した前記第１の光学面では、反射防止膜の膜層数が比較的低いので、膜厚を比較的薄くできることから成膜後の微細構造の形状を維持しやすくなり、前記微細構造の光学特性の劣化を回避できると共に、拭き性も向上させることができる。一方、前記第２の光学面には微細構造を形成していないので、反射防止膜の膜厚を増大させても、光学特性の大きな劣化を招くことはなく、拭き性も低下しないので、反射防止膜の膜層数を増大させ、十分な反射防止機能を発揮できる。
【００１３】
請求項２に記載の光学部品は、請求項１に記載の発明において、前記第２の光学面における反射防止膜を７層とすることを特徴とする。
【００１４】
請求項３に記載の光学部品は、請求項１に記載の発明において、前記第２の光学面における反射防止膜を８乃至１０層のいずれかとすることを特徴とする。
【００１５】
請求項４に記載の光学部品は、請求項１乃至３のいずれかに記載の発明において、前記第１の光学面における反射防止膜を単層とすることを特徴とする。
【００１６】
請求項５に記載の光学部品は、請求項１乃至３のいずれかに記載の発明において、前記第１の光学面における反射防止膜を２層とすることを特徴とする。
【００１７】
請求項６に記載の光学部品は、請求項１乃至３のいずれかに記載の発明において、前記第１の光学面における反射防止膜を３層とすることを特徴とする。
【００１８】
請求項７に記載の光学部品は、請求項１乃至３のいずれかに記載の発明において、前記第１の光学面における反射防止膜を４乃至９層のいずれかとすることを特徴とする。
【００１９】
請求項８に記載の光学部品は、請求項１乃至３のいずれかに記載の発明において前記第１の光学面と前記第２の光学面のうち、前記第２の光学面にのみ反射防止膜を形成することを特徴とするので、反射防止膜を形成しても、前記第１の光学面の微細構造の形状を変化させることなく、その光学特性の劣化を回避できると共に、拭き性も向上させることができる。
【００２３】
請求項９に記載の光学部品は、請求項１乃至８のいずれかに記載の発明において、前記光学部品は光ピックアップ装置用の対物レンズであることを特徴とするので、光ピックアップ装置の性能を向上させることができる。ただし、本発明の光学部品は対物レンズに限られず、カップリングレンズ、エキスパンダレンズ、平行平板等であっても良い。
【００２６】
なお、参考例の光学部品は、３９０〜４５０ｎｍ（より好ましくは４００〜４１０ｎｍ）の波長λ１の第１光束が通過し、且つ６３５〜６７０ｎｍ（より好ましくは６５０〜６７０ｎｍ）の波長λ２の第２光束と７４０〜８１０ｎｍの波長λ３の第３光束の少なくとも１種類の光束が通過する光路内に配置された光ピックアップ装置用の光学部品であって、複数の光学面を有し、一つの光学面に設けられる反射防止膜の膜数をｍ１、他の光学面に設けられる反射防止膜の膜数をｍ２としたときに、ｍ１＜ｍ２であることを特徴とするので、例えば高密度ＤＶＤと、ＤＶＤ及びＣＤのいずれか１種類以上の光ディスクとに対して互換可能に情報の記録及び／又は再生を行う光ピックアップ装置に用いるような光学部品において、一つの光学面に位相差付与構造を形成するような場合、その位相差付与機能を設けた光学面の反射防止膜数を少なく設定しておくことで、該光学面における光量損失を少なくしたり、拭き性を向上させることが可能となる。
【００２７】
互換可能に情報の記録及び／又は再生を行う光ピックアップ装置の例として、青紫色半導体レーザーを用いて保護層厚が０．６ｍｍの高密度ＤＶＤに対して情報の記録及び／又は再生を行うと共に、赤色半導体レーザーを用いてＤＶＤ及び／又はＣＤに対して情報の記録及び／又は再生を行うことができる光ピックアップ装置、あるいは、青紫色半導体レーザーを用いて保護層厚が０．１ｍｍの高密度ＤＶＤに対して情報の記録及び／又は再生を行うと共に、赤色半導体レーザーを用いてＤＶＤ及び／又はＣＤに対して情報の記録及び／又は再生を行うことができる光ピックアップ装置が知られているが、このような光ピックアップ装置において、前記光学部品として対物レンズを２枚にて構成する場合にも、本発明を適用することは可能である。すなわち、対物レンズ２枚玉の４面ある光学面のうち、位相差付与機能を有する面や凸のきつい面に設ける反射防止膜数（ｍ１）を、それ以外の凸の緩い光学面の膜数（ｍ２）より少なめに設定しておくと、反射防止膜数が多くなることによる弊害を抑制できる。
【００２８】
なお、他の参考例の光学部品は、上記参考例において、前記一つの光学面に位相差付与構造が形成されたことを特徴とする。ただし、前記一つの光学面は位相差付与構造を有した光学面に限らず、他の光学面より凸がきつい（面の曲率半径が小さい）光学面でもよい。
【００２９】
また、別の参考例の光学部品は、上記参考例において、前記第１光束が照射されたときの前記一つの光学面の有効径をφ１とし、前記第１光束が照射されたときの前記他の光学面の有効径をφ２としたときに、φ１＞φ２であることを特徴とするので、例えば高密度ＤＶＤと、ＤＶＤとＣＤのいずれか１種類以上の光ディスクとに対して互換可能に情報の記録及び／又は再生を行う光ピックアップ装置に用いると、２種類以上の光ディスクに対して適切な情報の記録及び／又は再生を行うことができる。
【００３２】
請求項１０に記載の光ピックアップ装置は、光源と、前記光源からの光束を光情報記録媒体の情報記録面上に集光させる、請求項１乃至９のいずれかに記載の光学部品を含む集光光学系と、を有することを特徴とする。
【００３３】
本明細書中で用いる「微細構造」とは、例えば光学面に光路差を発生させる機能を有する構造（光路差付与構造ともいう）をいい、この光路差付与構造には、光路差を発生する段差形状や、位相差付与構造が含まれる。更に、本明細書中で用いる「位相差付与構造」とは、位相差付与機能を発揮できる構造をいい、位相差付与機能とは、入射光束に対して所定の位相差を付与することにより、この光束に対して特定の作用を与える機能を指すもの全てである。このような位相差付与構造の例としては、「回折構造」などがある。
【００３４】
「回折構造」とは、光学部品の表面に、レリーフを設けて、回折によって光束を集光あるいは発散させる作用を持たせた部分のことをいう。レリーフの形状としては、光学部品の表面に、光軸を中心とする略同心円状の輪帯として形成され、光軸を含む平面でその断面をみれば各輪帯は鋸歯のような形状や階段状の形状のものが知られているが、そのような形状を含むものであり、そのような形状を特に「回折輪帯」という。
【００３５】
本明細書中において、対物レンズとは、狭義には光ピックアップ装置に光情報記録媒体を装填した状態において、最も光情報記録媒体側の位置で、これと対向すべく配置される集光作用を有するレンズを指し、広義にはそのレンズと共に、アクチュエータによって少なくともその光軸方向に作動可能なレンズを指すものとする。
【発明の効果】
【００３６】
本発明によれば、耐拭き性を確保しつつ、光透過率を高く維持できるにもかかわらず、例えば微細構造による本来の光学特性を発揮させることができる光学部品及び光ピックアップ装置を提供することができる。
【発明を実施するための最良の形態】
【００３７】
以下、本発明の実施の形態を図面を用いて説明する。
【００３８】
（第１の実施の形態）
第１の実施の形態について説明する。図１は、第１の実施の形態にかかる光ピックアップ装置の概略構成図である。図１において、光源としての半導体レーザ１からの光束（波長３９０〜４５０ｎｍ）は、ビームスプリッタ２を通過し、光源側の面（第１の光学面）に回折構造を形成した対物レンズ４に入射し、対物レンズ４の回折構造を形成していない媒体側面（第２の光学面）から出射した光束は、高密度ＤＶＤである光情報記録媒体５の情報記録面に集光される。一方、光情報記録媒体５から反射した光は、対物レンズ４を通過し、ビームスプリッタ２により半導体レーザ１と異なる方向に反射され、非点収差発生レンズ６で非点収差を発生された後、光検出器７で受光されるようになっている。尚、図示していないが、対物レンズを一体で光軸方向に移動させるフォーカシング機構が設けられている（以下の第２の実施の形態においても同じ）。
【００３９】
（第２の実施の形態）
第２の実施の形態について説明する。図２は、第２の実施の形態にかかる光ピックアップ装置の概略構成図である。図２において、第１光源としての第１半導体レーザ１１Ａからの光束（波長６３５ｎｍ〜６７０ｎｍ）は、ビームスプリッタ１２Ａ、１２Ｂを通過し、光源側の面（第１の光学面）に回折構造を形成した対物レンズ１４に入射し、対物レンズ１４の回折構造を形成していない媒体側面（第２の光学面）から出射した光束は、第１の光情報記録媒体１５Ａ（ここではＤＶＤ）の情報記録面に集光される。一方、第１の光情報記録媒体１５Ａから反射した光は、対物レンズ１４，ビームスプリッタ１２Ｂを通過し、ビームスプリッタ１２Ａにより第１半導体レーザ１１Ａと異なる方向に反射され、光検出器１７Ａで受光されるようになっている。
【００４０】
これに対し、図２において、第２光源としての第２半導体レーザ１１Ｂからの光束（波長３９０ｎｍ〜４５０ｎｍ）は、ビームスプリッタ１８を通過し、ビームスプリッタ１２Ｂで反射され、光源側の面（第１の光学面）に回折構造を形成した対物レンズ１４に入射し、対物レンズ１４の回折構造を形成していない媒体側面（第２の光学面）から出射した光束は、第２の光情報記録媒体１５Ｂ（ここではＣＤ。但し、高密度ＤＶＤであることが好ましい）の情報記録面に集光される。一方、第２の光情報記録媒体１５Ｂから反射した光は、対物レンズ１４を通過し、ビームスプリッタ１２Ｂ、１８により反射され、光検出器１７Ｂで受光されるようになっている。尚、半導体レーザ１１Ａ、１１Ｂを同一基盤上に形成し１ユニット化することで、いわゆる２レーザ１パッケージの光源を得ることが出来る。同様に、前記２種類の波長に加えて光源波長７４０〜８１０ｎｍの第３光源を設けることにより、波長が異なる３種類の光が対物レンズ１４を通過する光ピックアップ装置構成もある。
【００４１】
図３は、図１，２の１〜３種類のいずれかの組合せの光を用いる光ピックアップ装置に用いることができる対物レンズの一例の断面図であり、理解しやすいように回折構造Ｄは誇張して示している。図３において、対物レンズは第１の光学面Ｓ１にのみ、断面が鋸歯状である光軸を中心とした輪帯状の回折構造Ｄを有しており、従って第２の光学面Ｓ２においては回折構造は設けられていない。尚、第１の光学面を光源側とし、第２の光学面を媒体側としても良いことは言うまでもない。
【００４２】
回折構造Ｄの輪帯ピッチ（光軸直交方向の）ｐは、１０〜１００μｍであり、回折構造Ｄの溝深さ（光軸方向段差）ｈは、数μｍである。
【００４３】
図４は、図２の２〜３種類のいずれかの組合せの光を用いる光ピックアップ装置に用いることができる対物レンズの一例の断面図である。本実施の形態では、対物レンズは２つの素子からなる。より具体的には、対物レンズは、光源側（図で左側）の板状素子Ｐと、光ディスク側（図で右側）のレンズＬとから構成されている。板状素子Ｐの光源側の光学面Ｓ１には、その表面を輪帯状に光軸方向にシフトさせた位相差付与構造Ｍが形成されている。又、板状素子Ｐの光ディスク側の光学面Ｓ２には、光軸方向断面が鋸歯形状である回折構造の位相差付与構造Ｄが形成されている。レンズＬの光源側の光学面Ｓ３及び光ディスク側の光学面Ｓ４は、非球面形状を有しており、位相差構造は設けられていない。各光学面における反射防止膜の膜数及び有効径は、以下の通りである。
（Ｓ１面膜数ｍ１、Ｓ２面膜数ｍ１、Ｓ３面膜数ｍ２、Ｓ４面膜数ｍ２）
＝（７，５，７，７）又は（５，７，７，７）又は（７，７，５，７）又は（５，５，８，１０）又は（７，７，１０，９））又は（８，８，１０，１０）
第２半導体レーザ１１Ｂからの光束通過時のＳ１面有効径（φ１）：３．７ｍｍ
第２半導体レーザ１１Ｂからの光束通過時のＳ２面有効径（φ１）：３．７ｍｍ
第２半導体レーザ１１Ｂからの光束通過時のＳ３面有効径（φ２）：３．６ｍｍ
第２半導体レーザ１１Ｂからの光束通過時のＳ４面有効径（φ２）：２．３ｍｍ
尚、以上の値は例であり、これらに限られることはない。
【００４４】
（実施例）
図３の対物レンズに対して、反射率の異なる材料を積層することで反射防止膜の成膜を行った。表１に、透過光の波長が３９０〜４５０ｎｍの場合と、６３５〜６７０ｎｍの場合、及び透過光の波長が前記２波長に加えて７４０〜８１０ｎｍの波長の光を含む場合について設計した単層から１０層までの膜厚を示す。
【００４５】
【表１】
0004645938.tif 000002
成膜する材料としては、以下のものを用いた。
（１）低屈折率材料（Ｌ材）：フッ化アルミニウム、フッ化マグネシウム、酸化シリコン：屈折率１．３０〜１．５０
（２）中屈折率材料（Ｍ材）：酸化アルミニウム、酸化イットリウム、フッ化セリウム：屈折率１．５５〜１．７０
（３）高屈折率材料（Ｈ材）：酸化ジルコニウム、酸化タンタル、酸化チタン、酸化ハウニウム：屈折率１．７５〜２．５０
以上の材料を単独で、もしくはそれを主成分とした混合材料として、対物レンズの光学面にコートした。光学部品である対物レンズを構成する材料（基材）は、アクリル樹脂、ポリカーボネート樹脂、より具体的な例として、ゼオネックス（日本ゼオン（株）製の商品名）等の透明なプラスチック樹脂又はガラス材であるが、プラスチック樹脂は、上記樹脂に限定されるものではなく、光学部品の素材に適する全ての樹脂を含む。又、基材と第１層目の層の間に下地層を設け、膜の耐久性を向上させる場合も有る。特に、図３のレンズ形状のＳ２面、図４の形状のＳ４面の様な光情報記録媒体に面して用いられるレンズ面は、レンズ面の高い耐拭性が望まれ、膜厚０．１μ〜１０μの酸化シリコン層からなる下地層を設ける場合がある。
【００４６】
コート方法は、真空蒸着方法、スパッタ方法、ＣＶＤ方法、大気圧プラズマ法、塗布法、ミスト法などがあるが、本実施例では、真空蒸着方法を採用した。
【００４７】
（実施例１）
４０５ｎｍと６５０ｎｍの２種類の光束が通過するゼオネックス樹脂からなる図３の形状の対物レンズにおいて、Ｓ１面は反射防止コートなし、Ｓ２面は表１の（１０）に示す膜厚で７層の反射防止コートとした。Ｓ２面の各層の構成は、対物レンズの素材表面に最も近い層を１層目とし、最も遠い層を７層目とし、以下全て同様に層数を数えるものとする。表２に、Ｓ２面の７層の仕様を示す。
【００４８】
【表２】
0004645938.tif 000003
（実施例２）
実施例１と同じ対物レンズにおいて、Ｓ１面は表１の（１）に示す膜厚で単層の反射防止コート、Ｓ２面は表１の（１０）に示す膜厚で７層の反射防止コートとした。表３にＳ１面の単層の仕様を示し、表４にＳ２面の７層の仕様を示す。
【００４９】
【表３】
0004645938.tif 000004
【００５０】
【表４】
0004645938.tif 000005
（実施例３）
実施例１と同じ対物レンズにおいて、Ｓ１面は表１の（２）に示す膜厚で２層の反射防止コート、Ｓ２面は表１の（１０）に示す膜厚で７層の反射防止コートとした。表５にＳ１面の２層の仕様を示す。尚、Ｓ２面の７層の仕様は、表４に示すものと同じである。
【００５１】
【表５】
0004645938.tif 000006
（実施例４）
実施例１と同じ対物レンズにおいて、Ｓ１面は表１の（４）に示す膜厚で３層の反射防止コート、Ｓ２面は表１の（７）に示す膜厚で５層の反射防止コートとした。表６にＳ１面の３層の仕様を示し、表７にＳ２面の５層の仕様を示す。
【００５２】
【表６】
0004645938.tif 000007
【００５３】
【表７】
0004645938.tif 000008
（実施例５）
実施例１と同じ対物レンズにおいて、Ｓ１面は表１の（５）に示す膜厚で４層の反射防止コート、Ｓ２面は表１の（８）に示す膜厚で５層の反射防止コートとした。表８にＳ１面の４層の仕様を示す。尚、Ｓ２面の５層の仕様は、表７に示すものと同じである。
【００５４】
【表８】
0004645938.tif 000009
（実施例６）
実施例１と同じ対物レンズにおいて、Ｓ１面は表１の（８）に示す膜厚で５層の反射防止コート、Ｓ２面は表１の（１０）に示す膜厚で７層の反射防止コートとした。表９にＳ１面の５層の仕様を示す。尚、Ｓ２面の７層の仕様は、表４に示すものと同じである。
【００５５】
【表９】
0004645938.tif 000010
（実施例７）
実施例１と同じ対物レンズにおいて、Ｓ１面は表１の（９）に示す膜厚で６層の反射防止コート、Ｓ２面は表１の（１０）に示す膜厚で７層の反射防止コートとした。表１０にＳ１面の６層の仕様を示す。尚、Ｓ２面の７層の仕様は、表２に示すものと同じである。
【００５６】
【表１０】
0004645938.tif 000011
【００５７】
（実施例８）
４０５ｎｍと６５０ｎｍと７８０ｎｍの３種類の波長の光束が通過するゼオネックス樹脂からなる図３の形状の対物レンズにおいて、Ｓ１面は表１の（１１）に示す膜厚で７層の反射防止コート、Ｓ２面は表１の（１４）に示す膜厚で１０層の反射防止コートとした。表１１にＳ１面の７層の仕様を示す。また表１２にＳ２面の１０層の仕様を示す。
【００５８】
【表１１】
0004645938.tif 000012
【００５９】
【表１２】
0004645938.tif 000013
【００６０】
また、Ｓ２面の１０層の反射防止コートにおいて、基材と第１層の間に酸化シリコンからなる膜厚０．２μ〜２μの下地層を設ける場合もある。
【００６１】
（実施例９）
４０５ｎｍと６５０ｎｍと７８０ｎｍの３種類の波長の光束が通過するゼオネックス樹脂からなる図４の形状の対物レンズにおいて、Ｓ１面は表１の（１１）に示す膜厚で７層の反射防止コート、Ｓ２面は表１の（１１）に示す膜厚で７層の反射防止コート、Ｓ３面は表１の（１４）に示す膜厚で１０層の反射防止コート、Ｓ４面は表１の（１４）に示す膜厚で１０層の反射防止コートとした。表１３にＳ１面及びＳ２面の７層の仕様を示す。尚、Ｓ３面、Ｓ４面の１０層の仕様は、表１２に示すものと同じである。
【００６２】
【表１３】
0004645938.tif 000014
【００６３】
また、Ｓ３面及びＳ４面の１０層の反射防止コートにおいて、基材と第１層の間に酸化シリコンからなる膜厚０．２μ〜２μの下地層を設ける場合もある。
【００６４】
（比較例１）
実施例１と同じ対物レンズにおいて、Ｓ１面は表２の仕様（実施例１）と同様な７層の反射防止コート、Ｓ２面は表４の仕様（実施例２）と同様な７層の反射防止コートとした。
【００６５】
（比較例２）
実施例９と同じ対物レンズにおいて、Ｓ１面、Ｓ２面は表１２の仕様（実施例９）と同様な１０層の反射防止コート、Ｓ３面、Ｓ４面はは表１１と同様な７層の反射防止コートとした。
【００６６】
上述した実施例１〜９と比較例１、２とについて、同条件で、回折構造の劣化度合いがわかる集光性、透過光量、及び耐拭き性（レンズのＳ１面にイソプロピルアルコールを含ませた綿棒を荷重１０ｇで押しつけながら摺動させたときの膜の耐はがれ性）を評価した。評価結果を表１４に示す。
【００６７】
【表１４】
0004645938.tif 000015
表１４に示すように、図３の形状のレンズにおいて、比較例１では集光性及び耐拭性が要求水準を満たせなかったのに対し、実施例１〜８では集光性、耐拭性及び透過光量のいずれもが要求水準を満たすことがわかった。又図４の形状のレンズにおいて、比較例２では集光性及び耐拭性が要求水準を満たせなかったのに対し、実施例９では集光性、耐拭性及び透過光量のいずれもが要求水準を満たすことがわかった。
【００６８】
以上、本発明を実施の形態を参照して説明してきたが、本発明は上記実施の形態に限定して解釈されるべきではなく、適宜変更・改良が可能であることはもちろんである。
【図面の簡単な説明】
【００６９】
【図１】第１の実施の形態にかかる光ピックアップ装置の概略構成図である。
【図２】第２の実施の形態にかかる光ピックアップ装置の概略構成図である。
【図３】対物レンズの断面図である。
【図４】別な対物レンズの断面図である。
【符号の説明】
【００７０】
１，１１Ａ、１１  光源
２，１２Ａ、１２Ｂ、１８  ビームスプリッタ
４，１４  対物レンズ
５，１５Ａ、１５Ｂ  光情報記録媒体（光ディスク）
７，１７Ａ、１７Ｂ  光検出器
【図１】
0004645938.tif 000016
【図２】
0004645938.tif 000017
【図３】
0004645938.tif 000018
【図４】
0004645938.tif 000019